Podtech/llm-jp-corpus-v4-ja_patent huggingface dataset:
(57)【要約】      （修正有）【課題】足上がりが悪く、歩行に支障をきたしている人の歩行補助を提供する。【解決手段】足が容易に挿入できる構造のしたバネ１で、内径幅があり伸縮工程の長いバネを両足サイドに設け、バネの上部及び下部は屈曲性が容易な物質２たとえば布製のバンド等で上部は腰バンド又は着衣帯４の下部に左右に接続し、バネの下部は屈曲性が容易な物質たとえば布製のバンド等で足裏の土踏まずをｕターンするようにして左右に接続するか又は履物の左右に接続する。本装置に両足を挿入して走行を開始すれば、体重の重みでバネは伸びることになる、もう一方の足を後ろに上げれば、体重の負荷は反対の足に行くので足を上げたほうの負荷は無くなり伸びているバネの反発力で軽く縮む。足を挿入するバネの内径幅が広く、伸縮工程が長いので、極めて少ない負荷でも足上がり容易になり肩並びに腰などへの負担を著しく減少をさせて、歩行を補助することが出来る歩行補助具である。【選択図】図２
2009066366.tif 000002
【特許請求の範囲】
足が容易に挿入できる構造とした伸縮自在のバネを両足サイドに設け、そのバネの内径に足をそれぞれ挿入して歩行を開始すれば、バネの伸縮作用により歩行を確実に補助することが出来る「足挿入バネ反発力活用足上がり楽チン伸縮自在装置」。
【発明の詳細な説明】
足上がりが悪くなり歩くことに支障をきたした人の歩行補助具として、本発明者は平成１８年に大体同じような構造に出来ているものを、特願２００６−４４５５０、５３７７９，５６９３２，１１８４５５、を４点出願している。上記引例はいずれも足の側面に沿わせてゴムやバネ等の伸縮物で、足の上げ下げを行う歩行補助具であるが、この伸縮物は足の側面に沿わせる構造である。しかし伸縮物の幅はどうしても細くせざるをいないので、伸縮幅の高低がおのずと限られるために足上がりを強く調整すると、肩や腰に負担が集中して腰や肩が痛いと言う大きな欠点があった。このような欠点を取り除くにはどうするべきかと本発明者は更に研究を重ね、ここに伸縮効果をより発揮でき、かつ肩や腰に負担を極力避けるようにした、全く新規の構造の歩行補助具の発明をしたので、ここに発表をするものである。次に本発明の操作方法を一例を上げて図面を参照しながら説明する。（１）はバネであり、その内径の中に足が容易に挿入することが出来る直径幅が大きく伸縮工程の長い伸縮自在バネの上部を（２）の屈曲自在物体、たとえば布製のバンド等で接続して上部の（５）の腰バンド帯あるいは（４）の着衣帯に接続固定し（１）のバネの下部は（２）の屈曲性自在物体たとえば布製のバンド帯などで（３）履物あるいは足踏まずでｕターンできるよう接続する、足踏まずにｕターンするようにすれば足踏まずは歩くたびに足裏に刺激を与え続けから血流は活性化して健康対策にはより都合が良い。（６）は伸縮調整装置であり、その人の体格に合わせて長短を調整する。なお図示はしていないが（１）のバネをカバーで覆うように装着すれば（１）のバネは外観から目に見えないのでファッション性も向上する。又（４）の着衣帯はその人の体格に合わせてＳ、Ｍ、Ｌ、ＬＬ、とする事は言うまでも無い、（５）の腰バンドに接続する方式でも足上がりにはなんら変わりは無いが、（４）の着衣帯を用いた方が腰、腹、背中、肩、首、等へと負荷が分散する。以上のような構造に出来ている本発明の「足挿入バネ反発力活用足上がり楽チン伸縮自在装置」のバネの内径に両足をそれぞれに挿入して、歩行を開始すれば、一方の足を後ろに上げれば体重の負荷は反対の足に行くので上げた方は負荷が無くなり伸びているバネの反発力で軽く縮むので足は軽く上げり、もう一方の下げる方の足は体重の重みバネは伸びるので足は下がる。以上のような構造で出来ている本発明の「足挿入バネ反発力活用足上がり楽チン伸縮自在装置」を着用して歩行をすれば、伸縮バネが幅広であり伸縮工程が長く出来ているので、少ない負荷でも容易に歩行を補助することができ肩や腰への負担が極力軽減され、且つ足上がりの効果は抜群である。
【図面の簡単な説明】
【図１】は本発明の構造を示す斜視図
【図２】は本発明を着衣帯に設置した場合の正面図
【符号の説明】
（１）足挿入バネ（２）屈曲性物体（３）履物（４）着衣帯（５）腰バンド（６）調整装置（７）ズボン（８）ハンガー（９）足首止め
【図１】
2009066366.tif 000003
【図２】
2009066366.tif 000004
(57)【要約】【課題】  従来の油ヒキを使用する際に、使用途中で油分が無くなると、一旦、専用の受け皿に油ヒキを戻し、再び布紐の繊維に油を浸透させていた事の不都合を解決すること。【解決手段】  油ヒキの部分に、使用する油を貯える事ができるチューブ２を新たに設けて、そのチューブを指で摘む事でチューブ内の適量の油を、油ヒキの布紐の繊維に油をワンタッチで供給させる事により、この課題を解決する。【選択図】図１
2009066375.tif 000002
【特許請求の範囲】
【請求項１】
従来の油ヒキに、使用する油を貯えるチューブを新たに設けた事と、油ヒキとそのチューブは、使用不能になった油ヒキの交換の為に取外しを可能にした事と、そのチューブには、適度の柔軟性があり、摘む指の指圧で適量の油を流出できるような材質・形状にした事と、油ヒキとチューブを取り外さなくても、必要時チューブに油の補充ができるように、チューブの底面に油の注入口をとり、ねじ込み式にして、ハット形（帽子）の蓋を設けた事を特徴とするスティック油ヒキ。
【請求項２】
使用する油ヒキの布紐の終結する部分の台に、チューブからノズルを通って流出してくる油の為のノズル用に穴を貫通させた事を特徴とする油ヒキ。
【発明の詳細な説明】
【技術分野】
【０００１】  本発明は、油ヒキに関するものであり、今までの油ヒキの柄の部分に油を貯えるチューブを新たに設ける事によって、ワンタッチでしかもその都度、適量の油がひけるようにしたものである。
【背景技術】
【０００２】  従来から、油ヒキと油を貯えておくチューブが一体となっている物はなかった。
【発明の開示】
【発明が解決しようとする課題】
【０００３】  従来のように調理時フライパンなどに油をひく事があるが、その油ヒキを使用するその都度、油入りの専用の受け皿から油ヒキの布紐の繊維に油を浸透させて使用し、使用途中で油分が無くなると、又、専用の受け皿に油ヒキを戻し、再び布紐の繊維に油を浸透させるという事で非常に不便である。本発明は、このような油ヒキを使用中、油分が無くなるという不都合を解決する事を課題とする。
【課題を解決するための手段】
【０００４】  この課題を解決するための請求項１の発明は、油ヒキと油を貯えておくチューブは、使用不能になった油ヒキの交換の為に、取外しを可能にし、その油を貯えるチューブには、適度の柔軟性があり、摘む指の指圧で適量の油を流出できるような材質・形状にした。又、油ヒキとチューブを取り外さなくても必要時チューブに油の補充ができるようにチューブの底面に油の注入口をとり、ねじ込み式にして、ハット形（帽子）の蓋を設けた事を特徴とする。従来の油ヒキに使用する油を貯えるチューブを新たに設けた事で、油ヒキに油分が無くなれば、ワンタッチで供給ができるようにした。【０００５】  また、請求項２の発明は、従来、使用する油ヒキの布紐の終結する部分の台に、油がチューブからノズルを通って流出してくる為のノズル用に貫通した穴を開けた事を特徴とする。適量の油がノズルを通って油ヒキの布紐に供給するようにした。
【発明の効果】
【０００６】  本発明により、油ヒキを使用中に浸透した油がなくなり、油の補給に油の溜まった専用の受け皿に油ヒキを戻して、再び油を浸透させるという不都合はおきず、使用しない場合は、油の注入口のハット形の蓋を下にして、安定させて置くことができる。
【発明を実施するための最良の形態】
【０００７】  図１は、従来の油ヒキに使用する油を貯えるチューブを新たに設けた事を特徴とする、スティック油ヒキの立面図である。使用中に浸透した油がなくなり、又、油の補給が必要な場合に同図で示すように、ワンタッチで油の供給ができる。【０００８】  図２は、使用する油ヒキの布紐の終結する部分の台に、チューブからノズルを通って流出してくる為のノズル用に貫通した穴を開けた事を特徴とする、油ヒキの断面図である。
油を貯えるチューブからの適量な油を布紐が終結している部分に供給できる。【０００９】  スティック油ヒキは、家庭や業務などの使用の用途でサイズの商品を増やし、業務用の場合は、一回り大きめのスティック油ヒキが適切である。
【産業上の利用可能性】
【００１０】  本発明に係るかかるスティック油ヒキは、工業的に量産する事が可能である為、産業上の利用可能性を有する。
【図面の簡単な説明】
【００１１】
【図１】  従来の油ヒキに油を貯えるチューブを新たに設けて一体としたスティック油ヒキの立面図である。
【図２】  専用の油ヒキの布紐の終結する部分に、油がチューブからノズルを通って流出し、供給される部分の断面図である。
【図３】  スティック油ヒキの使用状況を示す斜視図である。
【符号の説明】
【００１２】  １      ハット形（帽子）の蓋
２      新たに設けた油を貯えるチューブ
３      ノズル用に貫通した穴を開けた油ヒキ
４      油が流出してくる為のノズル
５      布紐の終結する部分
【図１】
2009066375.tif 000003
【図２】
2009066375.tif 000004
【図３】
2009066375.tif 000005
(57)【要約】【課題】（イ）目的この発明は「ピッチングマシーン」と呼称し、野球およびソフトボールにおけるピッチャーの投球技能、特にコントロールの向上を図るための器材である。（ロ）このピッチングマシーンはピッチャーの思い切った内角球や変化球練習の目標を与えるとともに、バッターとの関係において試合と同じような実際的な投球練習を可能にする器材であり、また安全性を確保できる器材である。【解決手段】バット（１）を構えたバッター人形（２）をホームベース（３）に対してバッターボックスに固定板（４）で設置し各種打撃の構えをとれるようにしたことを特徴とするピッチングマシーンである。【選択図】図１
2009066373.tif 000002
【特許請求の範囲】
【請求項１】
バットを構えたバッター人形をホームベースに対してバッターボックスに固定板で設置し、各種打撃の構えをとれるようにしたことを特徴とするピッチングマシーン。
【発明の詳細な説明】
【技術分野】
【０００１】  本発明は、ピッチングマシーンに関するものであり、バットを構えたバッター人形をホームベースに対してバッターボックスに固定板で設置し、各種打撃の構えをとれるようにしたピッチング練習用の器材である。
【背景技術】
【０００２】  従来、ピッチャーの投球技能の向上を図るためのピッチング練習用の器材はなく、投球練習の目標として人がバターボックスに立つか、あるいはストライクゾーンを紐で標示する程度であった。
【発明の開示】
【発明が解決しようとする課題】
【０００３】  そのために、次のような問題点があった。
（イ）人がバッターボックスに立つ場合は、その人を拘束し、練習が非効率的である        とともに、硬式・準硬式野球では、立つ人に危害を及ぼす恐れやピッチャーの内        角への投球練習が思い切り出来ない恐れがあった。
（ロ）ストライクゾーンを紐で標示する場合は、概略のストライクゾーンの目標のみ        であり、バッターの存在とは関係ない状況での練習となり、実際的な練習とは程        遠いものであった。
本発明は、これらの問題点を解決するためになされたものである。
【課題を解決するための手段】
【０００４】  バットを構えたバッター人形をホームベースに対してバッターボックスに固定板で設置する。バッター人形は各種打撃の構えをとれるようにする。以上を特徴とするビッチングマシーンである。
【発明の効果】
【０００５】  バッター人形をバッターボックスに設置し各種打撃の構えをとれるようにすることにより実際の試合に近い状況での投球練習でピッチャーの投球技能の向上を図ることが出来るともに、安全性も確保できる。
【発明を実施するための最良の形態】
【０００６】  以下、本発明の実施の形態について説明する。
（イ）  バット（１）を構えたバッター人形（２）をホームベース（３）に対してバ        ッターボックスに固定板（４）で設置し、各種打撃の構えをとる。打撃の構えは        、クローズ・スタンス（５）、オープン・スタンス（６）、スクエア・スタンス        （７）、バント・スタンス（８）とする。迅速な打撃の構えの変更が出来るよう        同一固定板上でスパイクの固定はビンディングや磁石等を利用する。バッター人        形と固定板の装着部分等に緩衝用バネ（９）等を装着し、バッター人形にボール        が当たった際の衝撃緩和を図る。
バッター人形の材質は硬式ボールが当たっても変形しないよう軟質プラスチック        やゴム等とし、各種打撃の構えをとるため手首・腕・足・首・胴部分等は可動出        来る様に輪バネ（１０）等を利用する。バッター人形のユニホームは着脱式とす        る。バッター人形のヘルメットやバットは本物等を使用する。固定板は可搬型と        し、材質は鉄板等で地面に密着し易いようにスパイクを装着するるとともに、螺        旋杭等の固定用杭を使用し固定する。
（ロ）  バッター人形は子供用・小学生用・中学生用・高校生用・大学生用・社会人        用・プロ用等特徴ある大きさとし、右バッター・左バッター及び男女用の両方と        する。
本発明は、以上のような構成で、これを使用するときは、練習目的によりバッター人  形の大きさ、左・右のバッター人形、打撃スタンス等を適切に選定する。
【産業上の利用可能性】  本発明に係るピッチングマシーンは、工業的に量産する事が可能であるため、産業上の利用可能性を有する。
【図面の簡単な説明】
【０００７】
【図１】      本発明の構成図（右バッターの場合）である。
【図２】      本発明のバッター人形（右バッターの場合）の打撃スタンスの例図である。
【図３】      本発明のバッター人形（右バッターの場合）の例図である。
【符号の説明】
【０００８】      １  バット
２  バッター人形
３  ホームベース
４  固定板
５  クローズ・スタンス
６  オープン・スタンス
７  スクエア・スタンス
８  バント・スタンス
９  緩衝用バネ
１０  輪バネ
【図１】
2009066373.tif 000003
【図２】
2009066373.tif 000004
【図３】
2009066373.tif 000005
(57)【要約】      （修正有）【課題】今までの化粧品（特に固形パウダー等）は平面の薄い容器に収納され使用していると中央から先になくなり容器の周りに化粧品が残った。最後まで使用する為にはスポンジを無理やり思いっきりしならせこすりつけるか何かで引っ掻き出すようにして最後まで使用するしかなかった。  少なくなると化粧品が容器と分離して割れてしまっていた。  スポンジもすぐに傷んでしまっていた。【解決手段】容器収納内部の角をなくし球面・曲面状にする事で中央から消耗する化粧品を取り出しやすくしスポンジにも無理な力が入らず均等に最後まで取り出しやすくなる。  中央の厚みによりパウダー等が最後まで割れにくく丈夫なまま気持ちよくスムーズに使いきれる。【選択図】なし【特許請求の範囲】
【請求項１】
容器の収容内部の角をなくし球面・曲面状にする。
【発明の詳細な説明】
【技術分野】
【０００１】本発明は、化粧品容器の収納内部角をなくし球面・曲面状にする事で中央から消耗する化粧品を取り出しやすくし中央に厚みを持たせる事によりパウダー等が割れにくく丈夫なまま最後までスムーズに使いきれる物である。
【背景技術】
【０００２】現在の化粧容器内部（特にパウダー等）は平面的で角があり使用しにくい。
中親から消耗される事により端に残った化粧品は容器の中で割れてしまったりしてなかなか最後まで取り出しにくい。最後まで使用する為にスポンジを無理に押し付ける為無理な力がかかり均等に化粧品を取り出せず端に集中してスポンジを押し付ける為スポンジな等も傷んでしまう。
無理に引っかきだして化粧品が従来の優れた性質を最後まで発揮できない。
使用する側は特に不便を強いられている。
【発明の開示】
【発明が解決しようとする課題】
【０００３】現在ではさまざまな形の化粧品容器があるが、本来長く使用できるはずのスポンジも酷使され不便を強いられるものが殆どである。化粧品が従来の優れた性質を最後まで発揮できないでいる。そして、必ず使用最後は不快を感じ商品が残存しているにもかかわらず最後まで使用されないで捨てられるかスポンジを傷めて無理に最後まで使用している事が多い。
【課題を解決するための手段】  容器収納内部角をなくし球面・曲面状にして中央に厚みを持たせ最後まで化粧品本来が持つ優れた性質を損ねることなく使用可能な容器にする事である。
【発明の効果】  容器収納内部角をなくし球面・曲面状にして中央に厚みを持たせ最後まで無理なく使用可能な容器にする事で今まで少なくなると割れていたパウダーも割れにくくスポンジも傷まない。内部収納容器改革により化粧品性質を損ねることなく最後まで使用可能になる。
【発明を実施するための最良の形態】
【実施例】発明実施の形態を実施例に基づき図面を参照して説明する。
【産業上の利用可能性】  従来の世界中で販売されている化粧品の容器（特にコンパクト製品）の改革。
世界中に広めたい。
【図面の簡単な説明】
【図１】図１において、収納内部角をなくす事によりスポンジに無理な力が入らず化粧品の優れた特性を生かした使用が最後まで出来る。
【図１】
2009066372.tif 000002
(57)【要約】【課題】  砂糖や蜂蜜などの甘味料を入れた容器を濡らさずに甘味料への蟻の侵入を防ぐ、甘味料置きを提供する。【解決手段】  中州２を設けた容器３に水を入れ、中州２に台１を取り付ける。【選択図】図１
2009066376.tif 000002
【特許請求の範囲】
【請求項１】
中州を設けた容器の中州に台を取り付けた、蟻避け甘味料置き。
【発明の詳細な説明】
【技術分野】
【０００１】  本発明は、砂糖や蜂蜜などの甘味料を入れた容器を濡らさずに甘味料への蟻の侵入を防ぐ、甘味料置きに関するものである。
【背景技術】
【０００２】  従来は、甘味料を入れた容器を直に置いたり、蟻の侵入を防ぐために水の入った容器の中に浸けていた。
【発明の開示】
【発明が解決しようとする課題】
【０００３】  甘味料の入った容器を直に置くと、蟻が侵入し、群がっていた。又、水の入った容器の中に浸けると甘味料の入った容器が濡れ、使いづらくなっていた。
【課題を解決する為の手段】
【０００４】  蟻の侵入を防ぐために、中州２を設けた容器３に水を入れ、甘味料の入った容器を置くための台１を中州２に取り付ける。
【発明の効果】
【０００５】  中州２を設けた容器３に水を入れることで蟻が台１まで侵入できなくなるため、甘味料に群がることがなくなる。又、中州２と台１を設けることで、甘味料を入れた容器が濡れることがない。
【発明を実施する為の最良の形態】
【０００６】  中州２を設けた容器３に水を入れ、中州２に台１を取り付け、台１の上に甘味料の入った容器を置いて使用する。
【図面の簡単な説明】
【０００７】
【図１】  本発明の斜視図
【図２】  中州２を設けた容器３の上面図
【図３】  台１の正面図
【図４】  本発明の正面図
【符号の説明】
【０００８】  １は台
２は中州
３は容器
【図１】
2009066376.tif 000003
【図２】
2009066376.tif 000004
【図３】
2009066376.tif 000005
【図４】
2009066376.tif 000006
(57)【要約】【課題】みたらし団子を食す時に、団子に付着しているタレでもって、口元や頬を汚すことなくきれいに食べられ、しかも串でのどを突く様なアクシデントから解放されるみたらし団子押し出し装置を提供する。【解決手段】連なった団子を食べ易くするために、竹串の持ち手部分から穴なき硬貨状の固焼きせんべいを通し、食べ進むごとに串の先端に団子を押し上げることを特徴とするみたらし団子押し出し装置。【選択図】図１
2009066377.tif 000002
【特許請求の範囲】
【請求項１】
みたらし団子を連ねた串の持手部分に、中心部に穴をあけた固焼きせんべいを通し、食べ進むごとに団子を押し出すことを特徴とするみたらし団子押し出し装置。
【発明の詳細な説明】
【技術分野】
【０００１】  本発明は、みたらし団子を食べる時に塗り仕上げられたタレで、唇周辺や頬を汚すことなくきれいに食べられる様にした、みたらし団子押し出し装置に関するものである。
【背景技術】
【０００２】  従来、みたらし団子を食べる時は、団子をくわえ、持ち手の串を横に引いて食べる姿をよく散見するが、食す時は万人、一応に形相をくずす。この様な格好悪さも去ることながら、食べ終えた後に汚れのケアーをせずに済ませたい。
【発明の開示】
【発明が解決しようとする課題】
【０００３】（イ）焼き上がったみたらし団子の形としては、１串に５個連なっているのが一般的。一列横隊に長く並んだものを、うまく食べ進めて行けるのもせいぜい最初の２つ程で、残りの団子をほおばろうとすると、口元を或いは頬をタレで汚してしまうことが往々にしてある。
（ロ）うら若き女性達が、化粧直しを気にせずに品よく食べられる様に、また幼児などが、団子を縦に食した時など咽頭部を突くというアクシデントも時折り耳にする。
本発明は、以上の問題点を解決するためになされたものである。
【課題を解決するための手段】
【０００４】  みたらし団子の持ち手部分から、穴あき硬貨状の固焼きせんべいを通して、徐々にしごき上げる。以上を特徴とするみたらし団子押し出し装置である。
【発明の効果】
【０００５】  本発明は、通常よく見られる食し方の様に、くわえた団子を横に引くことなく、１個づつを押し出して食べるため、食べ易く串が咽頭にふれることもなく、安全にしかも頬などをタレで汚すこともなくなった。また、最終的には押し出し用に使用したせんべいも食すことが出来、一度で二つの味が楽しめる。
【発明を実施するための最良の形態】
【０００６】  以下、本発明の実施の形態について説明する。
（イ）みたらし団子本体（１）の竹串の持ち手部分（２）に、あらかじめ焼き上げておいた固焼きせんべい（３）を通す。
（ロ）片方の手で竹串を支え、もう片方の手でせんべいをしごく様に上へ押し上げる。
【図面の簡単な説明】
【０００７】
【図１】本発明の斜視図
【図２】本発明の使用状態を示す斜視図
【符号の説明】
【０００８】  １  みたらし団子本体
２  竹串の持ち手部分
３  固焼きせんべい
【図１】
2009066377.tif 000003
【図２】
2009066377.tif 000004
(57)【要約】【課題】長辺に開口部を設け、頂点を底にした、逆三角形の防災用非常トイレのし尿採集袋を提供する。【解決の手段】三角の長辺に開口部を設け、頂点方向を底にして、し尿溜まりを設け、便座上に開いて、便座カバーとし，開口部の両端を結束の手とした略、逆三角形を特徴とするし尿採集袋。【選択図】図１
2009066371.tif 000002
【特許請求の範囲】
【請求項１】
長辺に開口部を設け、斜辺を閉じ、頂点方向を底にして、し尿溜まりを設け、開口部の両端が結束の手となる、三角形を特徴とする、し尿採集袋。
【発明の詳細な説明】
【技術分野】
【０００１】  本発明は、長辺を開口し頂上方向を底にてし尿溜まりを設け、開口部の両端を結束の手とした、三角形の非常トイレ用の、し尿採集袋に関するものである。
【背景技術】
【０００２】  従来、非常用のトイレは次のようなものがあった。
（イ）共同で使用する蓄便タイプのもの。
（ロ）単独使用の箱型のユニットタイプのもの。
（ハ）採集袋は方形のもので結束の紐は別のもの。
等があった。
【発明の開示】
【発明が解決しようとする課題】
【０００３】  そのために、次のような問題があった。
（イ）蓄便式では、消臭剤が必要で、満杯になった時のトイレ始末があり、行政の対応上      の難点があり、共同使用なので不衛生で不潔感があった。
（ロ）単独使用のものでは、独自の箱型ユニットタイプで避難所の既設トイレでは扉の開      け閉めに支障かあり、持ち込みが出来ない。
（ハ）し尿採集袋は方形や丸型のものが多く既設の便器に馴染まず、口元を結束するのに      、別の結束体が必要であった。
（ニ）共通して云えることは必ず消臭剤や凝固剤を必要とするものであった。
本発明は、これらの問題点を解決するためになされたものである。
【課題を解決するための手段】
【０００４】  三角の長辺に開口部を設け、頂点方向を底にしてし尿溜まりを設け、開口を便座の上で朝顔状に展開して洋式には便座カバー、和式では便器の汚れ防止のカバーの機能を持たせ、使用後は開口の両端を結束の手とした、叉この三角袋の取り付けは便器や便座上のところどころにカットした、両面テープで保持し、取りはずしはポリ袋なので容易であり、接着面の繰り返し使用は可能である。以上を特徴とするし尿採集袋である。
（イ）蓄便式を止め三角のし尿採集袋の単独使用の自主回収にする。
（ロ）箱型のセット方式にこだわらず、開口部を便座の上面に広げて、独自の便座カバー      を形成して和式、洋式をとはず便器を汚さず何時も次の人が清潔に使用出来、容積      を取らないので既設トイレに最適である。
（ハ）三角袋の開口部も両端が結束の手になるので、別の結束体が不要。
（ニ）し尿は頂点部分に集まるので、新聞や雑誌、或いはトイレットペーパー等を先に敷      いて置くことで水分の吸収効果が期待出来、固化剤が無くともしのぐことが出きる      。
（ホ）用済み後は用紙を中に収めて、三角袋を便器から取りはずし、開口部を手繰り寄せ      て絞り込み、折り曲げ其の上から三角袋の両端の手で結束して巾着状の包みを作り
2009066371.tif 000003
つ脱臭剤が無用となり、トイレの継続使用が可能になる。
【発明の効果】
【０００５】      三角袋さえ有れば避難所の既設トイレが活用出きる、叉避難所が屋外でも囲いさえ      え有れば、そこが即仮設トイレになりうる。
【発明を実施するための最良の形態】
【０００６】以下、本発明の実施の形態について説明する。
（イ）三角袋（１０）は方形のゴミ袋の口を溶着したものを対角線上で二等分する。
（ロ）便座のところどころに、保持用の粘着体（６）を設ける。
（ハ）開口部（１）を便座の上面に開いて便座カバー（２）を形成する。
（ニ）底（４）に、尿吸着用の新聞、雑誌叉はトイレットペーパー等を置く。
（ホ）用便はその上に置くようにする。
（ヘ）用済み後はトイレットペーパーを中に収め開口部を手繰り寄せて結束の手（５）で      縛りその包みを保管容器に納める。
【図面の簡単な説明】
【０００７】
【図１】本発明の斜視図
【図２】本発明の実施例を示す斜視図
【図３】本発明の実施例を示す斜視図
【符号の説明】
【０００８】      １  開口部
２  便座カバー部
３  し尿溜まり
４  底
５  結束の手
６  粘着体
７  開口部結束
８  し尿包袋
９  便器
１０  三角袋
【図１】
2009066371.tif 000004
【図２】
2009066371.tif 000005
【図３】
2009066371.tif 000006
(57)【要約】      （修正有）【課題】トイレ内でスリッパ等を目視する事なく足先感覚で最適位置、方向に脱ぎ揃え出来る目、足弱者用の上履き脱ぎ揃え装置を提供する。【解決手段】床面に固定する主体マット１面にスリッパ等上履きの後端、亦は先端部を当止める立上レール２竝、同内側部を当て止める立上体３を設けてなす、亦は立上レール２と立上体３を碇状等に一体化し、該裏面に是を床面に直設定する貼着部４を設けてなす。【選択図】図１
2009066378.tif 000002
【特許請求の範囲】
【請求項１】
上履きを脱ぎ置きする主体マット（１）の上面に、スリッパ等の踵部、先端部等を当て停める立上レール（２）、竝同該側面部を当て受ける立上体（３）を夫々設け、主体マット（１）下面に貼着部（４）を設けてなる上履き脱ぎ揃え装置。
【請求項２】
主体マット（１）の上面に上履きの置場所を囲い込む区画ライン（５）を設けてなる請求工１記載の上履き脱ぎ揃え装置。
【請求項３】
立上レール（２）と立上体（３）を一体成形して該裏面に貼着部（４）を設けてなる上履き脱ぎ揃え装置
【発明の詳細な説明】
【技術分野】
【０００１】本発明は老齢等で目、足不自由な人用のトイレスリッパ等上履き脱ぎ揃え置き装置に関するものである。
【背景技術】
【０００２】在来トイレ用スリッパ等は床置きである為使用者毎に脱ぎ捨位置、竝方向が相違し左右離れて脱ぎ散らかされ、目、足不自由な老齢者等は使いづらく、亦見苦しかった。
【発明の開示】
【発明の解決しようとする課題】
【０００３】トイレ内で該スリッパを視認の必要なく、足先感覚のみで安易に一定場所に脱ぎ置き、亦は履き易くする
【課題を解決する為の手段】
【０００４】裏面に貼着部（４）を付した主体マット（１）の上面突端部にスリッパ等上履きの前後端部を受止める堤防状の立上レール（２）を、同該中心線上に同スリッパ等上履きの左右対向側部を当止めるブロック状の立上体（３）を、夫々設けてなす、亦は立上レール（２）及び立上体を碇状に一体成形し、該裏面に是を床面に直接定する貼付部（４）を設けてなす。
【発明の効果】
【０００５】数人家族の家庭トイレ等に於て誰が使用するとも該スリッパの脱ぎ置き位置、方向が一定し、亦是を行うに目使いの必要無く足先感覚のみで安易に行へ、該スリッパが常時最適位置に揃い置かれて見栄え良く、亦老齢者等視力や足の弱い人達に自力トイレの意欲を向上させ、亦主体マット（１）、亦は床直付の立上レール（２）、立上体（３）は必要に応じて移動可能である。
【実施例】
【０００６】主体マット（１）をトイレ内床面のスリッパ脱着最適位置、方向に軽接着する、用済み後出入口に近い側のスリッパ内側部を立上体（３）に当ぞえ、該踵部が立上レール（２）に当停ろ迄後退し該足を戸外へ脱足する、次で他足も同様操作をして該スリッパを主体マット面に揃い脱ぎする、此操作は小時で順れ、目を使う事なく足先感覚のみで行う、亦履く時も同様足先感覚のみで行う。
【図面の簡単な説明】
【０００７】
【図１】本発明の平面図である
【図２】本発明の側面図である
【図３】本発明の平面図である
【符号の説明】
１  主体マット
２  立上レール
３  立上体
４  貼着部
５  区画ライン
【図１】
2009066378.tif 000003
【図２】
2009066378.tif 000004
【図３】
2009066378.tif 000005
(57)【要約】【課題】  地球温暖化を食い止める。【解決手段】  地球温暖化の主な原因は二酸化炭素の排出が原因と考えられています。また、データも二酸化炭素であることを示しています。その二酸化炭素をできる限りエネルギーを使わず、大気より取り除きたいと思い、車両走行車の風圧による大気を炭付デリネータを通ことと、又、自然風力エネルギーを活用して炭付デリネータを通すことにより除去するため私案の炭を活用し、走行車両の風圧による大気の流れと、自然界の大気の流れを利用する、炭による二酸化炭素固定装置を開発しました。【選択図】  図２
2009066573.tif 000002
【特許請求の範囲】
【請求項１】
私案、特願２００７−１５５７４１の炭を活用し、公道の歩車道境界ブロックに設置されている、デリネーター又はスノーポールを改良し、私案の炭を入れた二酸化炭素デリネーター固定装置。
【請求項２】
私案の炭を入れた、デリネーター又はスノーポールに走行車両で起きた風圧による大気、又は、自然に起きた風圧による大気を通す二酸化炭素デリネーター固定装置。
【請求項３】
請求項２で通した、大気の二酸化炭素とメタンと塵を炭で採る二酸化炭素デリネーター固定装置。
【請求項４】
私案、特願２００７−１５５７４１の炭を活用して、デリネーター又はスノーポール以外に、炭の入れた物を設置し、請求項２で通した、大気の二酸化炭素とメタンと塵を炭で採る二酸化炭素デリネーター固定装置。
【請求項５】
私案の炭を入れた、デリネーター又はスノーポールは、降雨時のために太陽光エネルギーによる、自動開閉装置を着けた二酸化炭素デリネーター固定装置。
【発明の詳細な説明】
【技術分野】
【０００１】
本発明は私案の炭を活用し、走行車両の風圧と、自然界の風圧を利用して、二酸化炭素と、メタンと塵を採る。
【背景技術】
【０００２】
デリネーターを参考にした。
【発明の開示】
【発明が解決しようとする課題】
【０００３】
二酸化炭素と、メタンと塵を採り、温暖化を食い止める。
【課題を解決するための手段】
【０００４】
私案の炭を活用し、走行車両の風圧と、自然界の風圧を利用する。
【発明の効果】
【０００５】
地球温暖化を食い止める。
【発明を実施するための最良の形態】
【０００６】
高速道路や一般国道のような、交通量の多い道路が、最適。
【実施例】
【０００７】
なし。
【産業上の利用可能性】
【０００８】
道路だけではなく、大気が換気するところであれば、設置可能である。
【図面の簡単な説明】
【０００９】
【図１】デリネーターの正面を表す。
【図２】デリネーターの側面断面を表す。
【符号の説明】
【００１０】
イ  太陽光発電装置。
ロ  風力回転装置。
ハ  改良外窒。
二  私案の炭。
ホ  開閉羽。
へ  風圧による大気の流れを示す。
ト  デリネーター本体下部。
【図１】
2009066573.tif 000003
【図２】
2009066573.tif 000004
(57)【要約】【課題】塗膜欠陥の原因の特定は、作業者による人的な検査のため作業時間が係る問題点があった。塗膜欠陥が起こるサンプル数（Ｎ数）が少ないため、傾向（時間）がつかみにくい課題があった。【解決手段】自動車車体の塗膜欠陥の位置及び画像を検出する塗膜位置画像検出装置１と、塗膜位置画像検出装置１によって検出された塗膜欠陥Ｆの位置データと画像データとを、予め蓄積された過去の塗膜欠陥Ｆの位置データと画像データに照合し解析して、その塗膜欠陥Ｆの発生原因及び経時変化等を自動出力するとともに、その塗膜欠陥Ｆの位置データと画像データをデータとして自動集積する装置３を設ける塗装品質管理システムによって解決する。【選択図】  図１
2009066514.tif 000002
【特許請求の範囲】
【請求項１】
自動車車体等の塗膜欠陥の位置及び画像を検出する塗膜位置画像検出装置と、塗膜位置画像検出装置によって検出された塗膜欠陥の位置データと画像データとを、予め蓄積された過去の塗膜欠陥の位置データと画像データのデータベースに照合し解析して、その塗膜欠陥の発生原因及び経時変化等を自動出力する解析出力装置と、その塗膜欠陥の位置データと画像データをデータベースとして自動集積するデータ自動集積装置を設けることを特徴とする塗装品質管理システム。
【発明の詳細な説明】
【技術分野】
【０００１】
この発明は、自動車製造ライン等における塗装の品質管理を向上させるシステムに関する。
【背景技術】
【０００２】
自動車の製造工場等の品質管理工程では、塗装における品質の検査のため塗膜欠陥検出ロボット装置によって塗膜欠陥（ブツ等）を検出する。この検出によって塗膜欠陥の位置を特定するが、その塗膜欠陥に関する原因の特定は、作業者による人的な検査として顕微鏡又はマイクロスコープによる表面観察を行ない、従前に起こった塗膜欠陥のサンプルを参考にして塗膜欠陥が起こった原因の特定を行なっていた。
【発明の開示】
【発明が解決しようとする課題】
【０００３】
しかしながら、従来のように塗膜欠陥に関する原因を特定する表面観察を行ない、従前に起こった塗膜欠陥のサンプルを参考にして、起こった原因を特定するには、作業者による人的な検査のため作業時間が係る問題点があった。１つの塗膜欠陥の表面観察と原因の特定のため標準的には１件あたり５分掛かり、自動車一台あたり１５分〜２０分掛かっていた。またこれらの作業は品質工程ライン上で行なうことは難しかった。
【０００４】
また塗膜欠陥が起こるサンプル数（Ｎ数）が少ないため、傾向（時間）がつかみにくい課題があった。
【課題を解決するための手段】
【０００５】
上記課題を解決するために、自動車車体の塗膜欠陥の位置及び画像を検出する塗膜位置画像検出装置と、塗膜位置画像検出装置によって検出された塗膜欠陥の位置データと画像データとを、予め蓄積された過去の塗膜欠陥の位置データと画像データに照合し解析して、その塗膜欠陥の発生原因及び経時変化等を自動出力するとともに、その塗膜欠陥の位置データと画像データをデータとして自動集積する装置を設けることを特徴とする塗装品質管理システムを提案する。
【発明の効果】
【０００６】
この発明によれば、自動車の製造ライン等における品質管理工程における塗膜欠陥の表面観察と原因の特定の作業者を一人は減らすことができ、品質管理工程数を低減させることができる。
【０００７】
また、塗膜欠陥の位置と画像から原因の特定を自動的に行なうことができるため、製造完成工程への直行率を向上させるための対策を作成しやすくなった。
【発明を実施するための最良の形態】
【０００８】
この発明の実施形態である塗装品質管理システムについて、フローチャートを示す図１、塗膜位置画像検出装置による低倍率から高倍率へ移行する塗膜欠陥Ｆの画像データを示す図２に基づいて説明する。
【０００９】
この発明の実施形態である塗装品質管理システムは、自動車車体等の塗膜欠陥Ｆの位置及び画像を検出する塗膜位置画像検出装置１と、塗膜位置画像検出装置１によって検出された塗膜欠陥Ｆの位置データと画像データとを、予め蓄積された過去の塗膜欠陥Ｆの位置データと画像データのデータベースに照合し解析して、その塗膜欠陥Ｆの発生原因及び経時変化等を自動出力する解析出力装置２と、その塗膜欠陥Ｆの位置データと画像データをデータベースとして自動集積するデータ自動集積装置３を設ける。この実施形態では解析出力装置２とデータ自動集積装置３は、同じパソコンによって行なっている。
【００１０】
塗膜位置画像検出装置１は、１台又は複数台の自動塗膜欠陥検出ロボット装置からなり、それぞれ観察用のズームレンズを有している。塗膜位置画像検出装置１は、位置情報として低倍率により±１ｍｍの位置精度を保って位置データを獲得する。次に、ズームレンズを高倍率に移行して拡大した塗膜欠陥Ｆの画像を観察して画像データを獲得する。
【００１１】
塗膜位置画像検出装置１の実施例としては図２に示すように低倍率を３０倍として塗膜欠陥Ｆの位置情報を±１ｍｍの位置精度で位置データを得て、高倍率を１００倍にして塗膜欠陥Ｆの画像データを得る。
【００１２】
データ自動集積装置３は、蓄積された塗膜欠陥Ｆに関して塗装色別、形状別に分類し、その欠点種別（塗膜片、鉄粉、糸状、下地、その他）に画像の特徴（色、形状）を層別してデータを集積しデータベースとしている。
【００１３】
次に得られた塗膜欠陥Ｆの位置データと画像データを、解析出力装置２にインプットして予めデータ自動集積装置３に蓄積された過去の塗膜欠陥Ｆの位置データと画像データに照合し比較して解析する。一番近い位置と特徴により欠点種を特定し、その塗膜欠陥Ｆの発生原因及び経時変化等を自動出力（アウトプット）する。
【００１４】
それとともに、取得したその塗膜欠陥Ｆの位置データと画像データの特徴をボデー上に図式化してデータベースとしてデータ自動集積装置３に記憶させ蓄積する。
【００１５】
この実施形態では解析出力装置２とデータ自動集積装置３は、同じパソコンによって行なうが、別個の装置としてもよい。
【産業上の利用可能性】
【００１６】
この発明は、自動車等の塗装が行なわれる製造ラインの品質管理工程に利用される。
【図面の簡単な説明】
【００１７】
【図１】この発明の実施形態である塗装品質管理システムについてのフローチャート
【図２】塗膜位置画像検出装置による低倍率から高倍率へ移行する塗膜欠陥Ｆの画像データ
【符号の説明】
【００１８】
１  塗膜位置画像検出装置（自動塗膜欠陥検出ロボット装置）
２  解析出力装置（パソコン）
３  データ自動集積装置（パソコン）
Ｆ  塗膜欠陥
【図１】
2009066514.tif 000003
【図２】
2009066514.tif 000004
(57)【要約】      （修正有）【課題】研磨用ブラシ毛材をブラシ製造自動植毛機械で使用しても、機械各部品の損傷を少なくして部品消耗コストを減らすことができる研磨用ブラシ毛材及び研磨ブラシを提供する。【解決手段】砥材粒子３を含有したモノフィラメント研磨用ブラシ毛材１の表面を合成樹脂２でコーティングする。【選択図】図１
2009066745.tif 000002
【特許請求の範囲】
【請求項１】
砥材粒子を含有したモノフィラメントの表面に合成樹脂で表面コーティングしたことを特徴とする研磨用ブラシ毛材。
【請求項２】
請求項１に記載の研磨用ブラシ毛材を少なくとも一部に使用したことを特徴とする研磨ブラシ。
【発明の詳細な説明】
【背景分野】
【０００１】  ポリアミド系樹脂やポリエステル系樹脂、アラミド樹脂、ポリエーテル系合成樹脂に砥材粒子を含有したモノフィラメントで構成していた従来の研磨用ブラシ毛材は、毛材表面に砥材粒子が突起していた。
【０００２】  ポリッシャーブラシ等をブラシ製造自動植毛機械で製造した際、研磨ブラシ毛材表面が機械の各部品を削り損傷が大きくなっていた。
【０００３】  研磨用ブラシ毛材を使用する際、ブラシ製造自動植毛機械部品の消耗コストが大きくなっていた。
【発明の開示】
【発明が解決しようとする課題】
【０００４】  本発明は、研磨用ブラシ毛材をブラシ製造自動植毛機械で使用しても、機械各部品の損傷を少なくして部品消耗コストを減らす事を目的とするものである。
【課題を解決するための手段】
【０００５】  研磨用ブラシ毛材の表面を合成樹脂でコーティングする。
【発明の効果】
【０００６】  本発明は、研磨用ブラシ毛材の表面をコーティングすることによりブラシ製造自動植毛機械の各部品を削ること無くブラシを製造出来るため部品の消耗コストを大幅に減らすことが出来る。
【発明を実施するための最良の形態】
【０００７】  本発明の研磨用ブラシ毛材は、従来の研磨ブラシ毛材であるポリアミド系樹脂やポリエステル系樹脂、アラミド樹脂、ポリエーテル系合成樹脂に砥材粒子を含有したモノフィラメントの表面に合成樹脂をコーティングする構成になっている。【０００８】  本発明の研磨ブラシ毛材のコーティング部分は、耐熱、耐摩耗の影響しないブラシ製造自動植毛機械使用時にコーティング部分が機械部品の損傷を減らし、耐熱、耐摩耗の影響を受ける研磨ブラシ使用時にコーティング部分が簡単に離脱するように耐熱、耐摩耗に弱いオレフィン系合成樹脂が望ましい。【０００９】  本発明の研磨ブラシ毛材のコーティング方法は、研磨ブラシ使用時に出来るだけ簡単にコーティング部分が離脱し、研磨能力に影響しないようにオレフィン系合成樹脂で厚さ０．０１ｍｍ〜０．５ｍｍの非常に薄い押出被覆処理を行う事が望ましい。
【図面の簡単な説明】
【図１】研磨用ブラシ毛材をコーティングした時の断面図。
【図２】研磨用ブラシ毛材をコーティングした時の側面図。
【符号の説明】
１・・・研磨用ブラシ毛材
２・・・コーティング合成樹脂部分
３・・・砥材粒子
【図１】
2009066745.tif 000003
【図２】
2009066745.tif 000004
(57)【要約】【課題】  ブラシ保持器とハウジング穴部の圧入が確保できなくなり、その結果、ブラシ保持器１がハウジング穴部５から離脱してしまうことを防止する。【解決手段】    モータと、モータの固定子を固定するねじと、ねじと嵌合するねじ穴部と、モータを収納するハウジングと、ハウジングに設けられた穴部に設けられるブラシ保持器と、を備えた電動工具において、ブラシ保持器の外周部に凹部を設け、穴部にはねじ穴部が貫通し、ねじを締め付けると、ねじが凹部に挿入される。【選択図】  図１
2009066670.tif 000002
【特許請求の範囲】
【請求項１】
モータと、
該モータの固定子を固定するねじと、
該ねじと嵌合するねじ穴部と、
該モータを収納するハウジングと、
該ハウジングに設けられた穴部に設けられるブラシ保持器と、
を備えた電動工具において、
該ブラシ保持器の外周部に凹部を設け、該穴部には該ねじ穴部が貫通し、該ねじを締め付けると、該ねじが該凹部に挿入されることを特徴とする電動工具。
【請求項２】
該穴部において該ねじと該ブラシ保持器が接触しないことを特徴とする請求項１記載の電動工具。
【発明の詳細な説明】
【技術分野】
【０００１】
本発明は、ブラシ保持器の離脱防止構造を備えた電動工具に関するものである。
【背景技術】
【０００２】
電動工具に使用される従来のブラシ保持器の取付構造を、図４乃至６を用いて説明する。
【０００３】
図４は電動工具のブラシ保持器まわりの断面図、図５はブラシ保持器の側面図、図６は、図５におけるＡ−Ａ断面図である。
【０００４】
ブラシ保持器１は、真鍮製のチューブ２と樹脂部材３により一体成形されている。ハウジング４には、ブラシ保持器取付用の穴部５が設けてあり、このハウジング穴部５にブラシ保持器１を圧入する。
【０００５】
回転子６の整流子７に電力を供給するブラシ８と一体成形されたピグテール９の外周には圧縮コイルばね１０が配設される。圧縮コイルばね１０は、ピグテール９に半田により接続されているストップピース１１とブラシ８の間に挟持されている。ブラシ保持器１をハウジング４に取り付けるには、外周にねじ部を有する樹脂製のキャップ１２をねじ込み、キャップ１２とチューブ２との間にストップピース１１を挟持する。
【０００６】
【特許文献１】実開平４−３４８６４号公報
【発明の開示】
【発明が解決しようとする課題】
【０００７】
従来の電動工具のブラシ保持器取付構造では、電動工具を長時間使用すると、電動工具本体の振動やハウジング穴部５の熱膨張等により、ブラシ保持器１とハウジング穴部５の圧入が確保できなくなることがあった。その結果、ブラシ保持器１がハウジング穴部５から離脱し、感電する可能性があるという欠点があった。特に、ハウジング４の材質がナイロンの場合、吸湿による穴部５の膨張や接着剤使用時の固着力不足等により、ブラシ保持器１が離脱する可能性が高くなる。
【０００８】
本発明の目的は、上記のような欠点を解消し、安全性の高い電動工具を提供することである。
【課題を解決するための手段】
【０００９】
本発明は上記課題を解決するために、モータと、モータの固定子を固定するねじと、ねじと嵌合するねじ穴部と、モータを収納するハウジングと、ハウジングに設けられた穴部に設けられるブラシ保持器と、を備えた電動工具において、該ブラシ保持器の外周部に凹部を設け、該穴部には該ねじ穴部が貫通し、該ねじを締め付けると、該ねじが該凹部に挿入されることを特徴とする。
【００１０】
また、本発明は、穴部においてねじとブラシ保持器が接触しないことを特徴とする。
【発明の効果】
【００１１】
請求項１記載の発明によれば、ブラシ保持器がハウジングから離脱しそうになった時に、ブラシ保持器が固定子固定用ねじに掛止する。従って、ブラシ保持器の離脱を防止し、安全性の高い電動工具を提供することができる。また、部品点数を増やさずに、ブラシ保持器の離脱を防止することができる。従って、安価で安全性に優れた電動工具を提供することができる。
【００１２】
請求項２記載の発明によれば、ねじとブラシ保持器が接触しブラシ保持器が破損してしまうことを防止することができます。従って、耐久性に優れた電動工具を提供することができます。
【発明を実施するための最良の形態】
【００１３】
図１乃至図３を用いて、本発明に係るブラシ保持器離脱防止構造の一実施形態を説明する。図１は電動工具のブラシ保持器まわりの断面図、図２はブラシ保持器の側面図、図３は図２におけるＡ−Ａ断面図である。
【００１４】
ブラシ８及びブラシ保持器１の基本的な構造は、図４で示した従来の技術と同じであるため説明を省略する。
【００１５】
図２、図３において、ブラシ保持器１の外周部には、ハウジングに圧入する際の位置決め用の二面幅１３と凹状の穴部１４が配設されている。固定子１５を固定する固定子固定用ねじ１６と嵌合するねじ穴部１７は、ハウジング穴部５に貫通している。固定子固定用ねじ１６を締め付けた時、ねじの先端部１８が、ブラシ保持器１の凹状穴部１４に入るように配設されている。
【００１６】
従って、電動工具本体の振動やハウジング穴部５の膨張等により、ブラシ保持器１とハウジング穴部５の圧入が確保できなくなり、ブラシ保持器１がハウジング穴部５から離脱しそうになっても、ブラシ保持器１の凹状穴部１４が、固定子固定用ねじの先端部１８に引っ掛かる。従って、ブラシ保持器１がハウジング穴部５から離脱するのを防ぐことができる。
【００１７】
また、ねじの先端部１８とブラシ保持器１が接触してブラシ保持器１の破損を防止するために、ねじの先端部１８の端面１９とブラシ保持器の凹状穴部１４の底面２０の間には隙間ができるように設定されている。
【図面の簡単な説明】
【００１８】
【図１】本発明に係る一実施形態を示す断面図。
【図２】本発明に係るブラシ保持器の側面図。
【図３】図２のＡ−Ａ断面図。
【図４】従来の発明に係る一実施形態を示す断面図。
【図５】従来のブラシ保持器の側面図。
【図６】図５のＡ−Ａ断面図。
【符号の説明】
【００１９】
１はブラシ保持器、２はチューブ、３は樹脂部材、４はハウジング、５はハウジング穴部、６は回転子、７は整流子、８はブラシ、９はピグテール、１０は圧縮コイルばね、１１はストップピース、１２はキャップ、１３は二面幅、１４は凹状穴部、１５は固定子、１６はねじ、１７はめねじ穴部、１８はねじ先端部、１９は端面、２０は底面である。
【図１】
2009066670.tif 000003
【図２】
2009066670.tif 000004
【図３】
2009066670.tif 000005
【図４】
2009066670.tif 000006
【図５】
2009066670.tif 000007
【図６】
2009066670.tif 000008